(57)【要約】【課題】庫内へのハエの侵入や雨の吹き込みを防止しつつ庫内の換気性に優れ、さらに、ゴミの搬入出の作業性に優れたゴミ収集庫を提供する。【解決手段】ゴミ収集庫１は、４本の支柱２ａを左右方向および前後方向に横枠２ｂで連結して箱枠状に形成された箱フレーム２と、箱フレーム２の正面側の左右の支柱２ａに扉開閉用の蝶番で連結されて箱フレームの正面側を観音開きに開閉自在な一対の枠状の扉フレーム３とを備え、箱フレーム２の底面を塞ぐ底板１５が設けられると共に、箱フレーム２の両側面、上面および背面、並びに扉フレーム３には、各々に樹脂製のシートが張設されて箱フレーム２の内空にゴミ収容部６が形成されており、少なくとも箱フレーム２の両側面および扉フレーム３に張設されるシートが、目開き０．３〜１ｍｍのメッシュシート１１，１２ａ，１２ｂである。【選択図】図２
0003154926.tif 000002
【実用新案登録請求の範囲】
【請求項１】
４本の支柱を左右方向および前後方向に横枠で連結して箱枠状に形成された箱フレームと、該箱フレームの正面側の左右の該支柱に扉開閉用の蝶番で連結されて該箱フレームの正面側を観音開きに開閉自在な一対の枠状の扉フレームとを備え、該箱フレームの底面を塞ぐ底板が設けられると共に、該箱フレームの両側面、上面および背面、並びに該扉フレームには、各々に樹脂製のシートが張設されて該箱フレームの内空にゴミ収容部が形成されており、
少なくとも該箱フレームの両側面および該扉フレームに張設される該シートが、目開き０．３〜１ｍｍのメッシュシートであることを特徴とするゴミ収集庫。
【請求項２】
前記扉フレームは、２つの枠体どうしが扉折畳み用の蝶番で連結された折れ戸フレームであることを特徴とする請求項１に記載のゴミ収集庫。
【請求項３】
前記箱フレームが鉄製であり、前記ゴミ収容部を上下方向に仕切る中仕切り板を有し、該中仕切り板が、前記箱フレームの背面側の左右の前記支柱に跳上用の蝶番で取り付けられると共に、該中仕切り板の正面側には、該中仕切り板を該背面側に跳ね上げた際に該箱フレームの背面上側の前記横枠に当接する位置に磁石が付されており、さらに該中仕切り板の正面側の下面には、取っ手が付されていることを特徴とする請求項１または２に記載のゴミ収集庫。
【請求項４】
前記箱フレームの正面側の前記支柱の長さが背面側の前記支柱の長さよりも長く形成されて該箱フレームの上面が該正面側から該背面側に向かって下り勾配で形成されており、該上面に張設される前記シートが、ポリエステル帆布であることを特徴とする請求項１または２に記載のゴミ収集庫。
【請求項５】
前記シートが防炎加工を施されたものであることを特徴とする請求項１または２に記載のゴミ収集庫。
【請求項６】
前記箱フレームおよび前記扉フレームには、前記メッシュシートの前記ゴミ収容部側に、金属網が張設されていることを特徴とする請求項１または２に記載のゴミ収集庫。
【考案の詳細な説明】
【技術分野】
【０００１】
本考案は、各家庭から出されるゴミの収集場所に設置されるゴミ収集庫に関するものである。
【背景技術】
【０００２】
各家庭から出る生ゴミや紙屑などのゴミは、通常ゴミ袋に袋詰めされて、予め決められた所定のゴミ収集場所に出され、ゴミ収集車によって回収されている。ゴミ収集場所には、カラス、猫、犬、ネズミなどによってゴミが荒らされることを防止するために、ゴミ収集庫が設置されている場合がある。
【０００３】
このようなゴミ収集庫が、例えば特許文献１に記載されている。特許文献１には、箱型の枠材、および前面側に設けた引き戸に、内部を透視可能なメッシュ材を張設したゴミ収納庫（ゴミ収集庫）が記載されている。
【０００４】
ところが、この特許文献１に記載されたゴミ収集庫には、内部を透視可能とするためにメッシュ材の目開きを大きくする必要があり、猫やカラスなどからゴミを隔離することはできるが、庫内にハエが侵入してゴミ袋に群がってしまうという問題がある。また、メッシュ材から庫内に雨が吹き込んでしまうという問題もある。さらに、メッシュ材からゴミを明瞭に視認可能であるので景観性が悪いという問題がある。これらを防止するためにメッシュ材をシートや板に換えてしまうと、庫内の換気性が悪化して悪臭が籠ってしまう。
【０００５】
また、特許文献１に記載されたゴミ収集庫には、引き戸が正面側の半分しか開かないので、ゴミの出し入れの作業性が悪いという問題がある。
【先行技術文献】
【特許文献】
【０００６】
【特許文献１】特開平１０−３５８０８号公報
【考案の概要】
【考案が解決しようとする課題】
【０００７】
本考案は、前記の課題を解決するためになされたもので、庫内へのハエの侵入や雨の吹き込みを防止しつつ庫内の換気性に優れ、さらに、ゴミの搬入出の作業性に優れたゴミ収集庫を提供することを目的とする。
【課題を解決するための手段】
【０００８】
前記の目的を達成するためになされた、実用新案登録請求の範囲の請求項１に記載されたゴミ収集庫は、４本の支柱を左右方向および前後方向に横枠で連結して箱枠状に形成された箱フレームと、該箱フレームの正面側の左右の該支柱に扉開閉用の蝶番で連結されて該箱フレームの正面側を観音開きに開閉自在な一対の枠状の扉フレームとを備え、該箱フレームの底面を塞ぐ底板が設けられると共に、該箱フレームの両側面、上面および背面、並びに該扉フレームには、各々に樹脂製のシートが張設されて該箱フレームの内空にゴミ収容部が形成されており、
少なくとも該箱フレームの両側面および該扉フレームに張設される該シートが、目開き０．３〜１ｍｍのメッシュシートであることを特徴とする。
【０００９】
請求項２に記載されたゴミ収集庫は、請求項１に記載されたもので、前記扉フレームは、２つの枠体どうしが扉折畳み用の蝶番で連結された折れ戸フレームであることを特徴とする。
【００１０】
請求項３に記載されたゴミ収集庫は、請求項１または２に記載されたもので、前記箱フレームが鉄製であり、前記ゴミ収容部を上下方向に仕切る中仕切り板を有し、該中仕切り板が、前記箱フレームの背面側の左右の前記支柱に跳上用の蝶番で取り付けられると共に、該中仕切り板の正面側には、該中仕切り板を該背面側に跳ね上げた際に該箱フレームの背面上側の前記横枠に当接する位置に磁石が付されており、さらに該中仕切り板の正面側の下面には、取っ手が付されていることを特徴とする。
【００１１】
請求項４に記載されたゴミ収集庫は、請求項１または２に記載されたもので、前記箱フレームの正面側の前記支柱の長さが背面側の前記支柱の長さよりも長く形成されて該箱フレームの上面が該正面側から該背面側に向かって下り勾配で形成されており、該上面に張設される前記シートが、ポリエステル帆布であることを特徴とする。
【００１２】
請求項５に記載されたゴミ収集庫は、請求項１または２に記載されたもので、前記シートが防炎加工を施されたものであることを特徴とする。
【００１３】
請求項６に記載されたゴミ収集庫は、請求項１または２に記載されたもので、前記箱フレームおよび前記扉フレームには、前記メッシュシートの前記ゴミ収容部側に、金属網が張設されていることを特徴とする。
【考案の効果】
【００１４】
本考案のゴミ収集庫によれば、少なくとも箱フレームの両側面および扉フレームに、目開き０．３〜１ｍｍのメッシュシートを張設したことにより、通気性を有するのでゴミ収容部（庫内）の換気性に優れると共に、イエバエなどの大型のハエばかりでなくショウジョウバエなどの小型のハエさえもメッシュシートを通り抜けることができないため、ゴミ収容部へのハエの侵入を確実に防止することができる。また、メッシュシートの目開きが小さいため、ゴミ収容部への雨の吹き込みも防止でき、ゴミが濡れることを防止できる。さらに、メッシュシートの目開きが小さいので、ゴミ収集部に収容されたゴミは、ゴミとして視認されず、うっすらとしたシルエット程度でしか見ることができないので、景観性に優れている。また、扉フレームは観音開きに開くので、正面側が広く開口してゴミの搬入出の作業を容易に行うことができる。
【００１５】
また、本考案のゴミ収集庫によれば、扉フレームが折れ戸フレームであることにより、扉を開いた際の扉寸法が小さくなるため、車や通行人への開いた扉の接触が防止されると共に、風圧によって扉が勢いよく開閉されてしまうことを防止することができる。
【００１６】
また、本考案のゴミ収集庫によれば、ゴミ収容部を上下方向に仕切る中仕切り板を有し、この中仕切り板が背面側の支柱に跳ね上げ用の蝶番で取り付けられているため、例えばゴミの量が少ない場合には、中仕切り板を背面側に跳ね上げておくことで、ゴミの搬入搬出作業が容易になり、ゴミの量が増えた場合には、中仕切り板を下ろすことで、この中仕切り板の上にさらにゴミを上積みできるので、ゴミの収容量を増やすことができる。さらに、中仕切り板を跳ね上げたときには、中仕切り板に付された磁石が鉄製の横枠に吸着するため簡便に背面側に固定することができる。さらに、中仕切り板の下側には取っ手が設けられているので、この取っ手を持ち上げることで中仕切り板を背面側に簡便に跳ね上げることができ、また取っ手を引くことで中仕切り板を背面側から簡便に引き下ろすことができる。
【００１７】
また、本考案のゴミ収集庫によれば、箱フレームの上面を正面側から背面側に向かって下り勾配で形成することで、雨や雪が背面側に流れ落ちるので、上面側に雨水等が溜まることが防止されると共に、ゴミの搬入出作業を行う人に雨等が流れ落ちることを防止することができる。特に、上面にポリエステル帆布を張設することにより、雪の滑りが良くなるため、上面への積雪を確実に防止することができ、積雪の重さによるゴミ収集庫の破損を防止することができる。また、ポリエステル帆布は耐久性に優れるため、日光の当たりやすい上面に張設することで、ゴミ収集庫の耐久性を向上させることができる。
【００１８】
また、本考案のゴミ収集庫によれば、シートが防炎加工を施されたものであることにより、万が一、ゴミなどから出火した場合でも燃え広がることを防止することができる。
【００１９】
また、本考案のゴミ収集庫によれば、箱フレームおよび扉フレームには、メッシュシートのゴミ収容部側に、金属網が張設されていることにより、カラスや猫などの比較的力の強くない動物ばかりでなく、猿、猪および熊などの力の強い動物からも、ゴミを確実に隔離することができる。また、この場合ゴミ収集庫の外部側には金属網が剥き出しにならず、メッシュシートで覆われるため、景観性にすぐれたゴミ収集庫とすることができる。
【図面の簡単な説明】
【００２０】
【図１】本考案を適用するゴミ収集庫のフレーム構造を示す斜視図である。
【図２】本考案を適用するゴミ収集庫の使用状態を示す一部破断斜視図である。
【図３】本考案を適用するゴミ収集庫の別の実施例を示す部分斜視図である。
【考案を実施するための形態】
【００２１】
以下、本考案を実施するための形態を詳細に説明するが、本考案の範囲はこれらの形態に限定されるものではない。
【００２２】
本考案のゴミ収集庫の好ましい一例について、図１，２を参照して説明する。
【００２３】
ゴミ収集庫１のフレーム構造は、図１に示すように、箱フレーム２の正面側に、一対の扉フレーム３が取り付けられたものである。一例としてその大きさは、正面幅１６００ｍｍ、正面高さ１７６０ｍｍ、奥行き９００ｍｍ、背面高さ１４６０ｍｍで形成されている。
【００２４】
この箱フレーム２は、一例として鉄製であって、４本の角型の支柱２ａが左右方向および前後方向に角型の横枠２ｂで連結された箱枠状に形成されている。
【００２５】
箱フレーム２の正面側の支柱２ａの長さは背面側の支柱２ａの長さよりも長く形成されていて、箱フレーム２の上面が正面側から背面側に向かって下り勾配となるように形成されている。
【００２６】
また、背面側の支柱２ａの中程と正面側の支柱２ａとが、角型の補強材２ｃで水平に繋がれている。また、箱フレーム２の上面の横枠２ｂは、細角型の補強材２ｄで前後方向に繋がれている。
【００２７】
一対の扉フレーム３は、一例として鉄製であって、枠状に形成されており、この箱フレーム２の正面側の左右の支柱２ａに扉開閉用の蝶番５で連結されて、箱フレーム２の正面側を観音開きに開閉自在になっている。
【００２８】
具体的には、扉フレーム３は、同図に示すように、各々が四角枠状の枠体３ａおよび枠体３ｂどうしが、扉折畳み用の蝶番４で連結された折れ戸フレームになっている。この扉フレーム３の枠体３ａと正面側の支柱２ａとが蝶番５で連結されて、扉フレーム３が箱フレーム２に開閉自在に取り付けられている。この扉フレーム３は、同図に示すように、左右対称に形成されて一対になっている。
【００２９】
蝶番４、５は、一般的に市販されている金属製のいわゆる２枚羽根蝶番であり、枠体３ｂや扉フレーム３の重量を支持可能なものである。
【００３０】
扉フレーム３の枠体３ｂには、扉の開閉用の取っ手１０が取り付けられている。
【００３１】
箱フレーム２の正面上側の横枠２ｂには、扉フレーム３が閉じられたときに枠体３ｂを吸着固定する磁石１９が付されている（図２参照）。
【００３２】
箱フレーム２の補強材２ｃの上には、中仕切り板７が載せられている。この中仕切り板７は、箱フレーム２の背面側の左右の支柱２ａに跳上用の蝶番８で取り付けられて、背面側に跳ね上げ可能になっている。この中仕切り板７は、一例として適宜補助材を配した鉄製の四角状枠に、ポリエステル帆布などの樹脂シートを張設したものである。この中仕切り板７の正面側には、中仕切り板７を背面側に跳ね上げた際に箱フレーム２の背面上側の横枠２ｂに当接する位置に磁石１６が付されると共に、中仕切り板７の正面側の下面には、取っ手１７が付されている（図２参照）。
【００３３】
蝶番８は、一般的に市販されている金属製で細身の２枚羽根蝶番であり、中仕切り板７の重量を支持可能なものである。
【００３４】
箱フレーム２の下側の４隅近くには、高さ調整脚９が取り付けられている。
【００３５】
このようなフレーム構造のゴミ収集庫１には、図２に示すように、箱フレーム２の底面を塞ぐ底板１５が設けられると共に、箱フレーム２の両側面、上面および背面、並びに扉フレームには、各々に樹脂製のシート１１，１２ａ，１２ｂ，１３，１４が張設されて箱フレーム２の内空にゴミ収容部６が形成されている。少なくとも箱フレーム２の両側面および扉フレームに張設されるシートは、目開き０．３〜１ｍｍのメッシュシートである。
【００３６】
具体的に説明すると、同図に示されるように、箱フレーム２の両側面には、この側面とほぼ同じ大きさのメッシュシート１１が、その周囲をビス２１で箱フレーム２に固定されて張設されている。また、同様にして扉フレーム３の枠体３ａの正面側にはメッシュシート１２ａが張設され、枠体３ｂの正面側にはメッシュシート１２ｂが張設されている。なお、同図では、考案の理解を容易にするために、メッシュシート１１〜１２ｂの目開きを実際よりも誇張して模式的に図示している。
【００３７】
メッシュシート１１〜１２ｂは、いずれも目開き０．３〜１ｍｍ（０．３ｍｍ〜１ｍｍ角の開口）の樹脂製のメッシュシートであり、その材質として、ポリ塩化ビニル、ポリエチレン、ポリアミド、ポリエチレンテレフタレート、およびポリプロピレンを例示することができる。ショウジョウバエは、通常１．５ｍｍ角程度の開口がないと通ることができないため、目開き１ｍｍ以下のメッシュシートを通ることができない。また、通気性の観点から、目開き０．３ｍｍ以上であることが好ましい。
【００３８】
箱フレーム２の上面には、上面とほぼ同じ大きさの樹脂製のシート１３がビス２１で箱フレーム２に固定されて張設され、同様にして箱フレーム２の背面には樹脂製のシート１４が張設されている。一例としてシート１３，１４は、ポリエステル帆布である。ポリエステル帆布は耐久性に優れるため、長期間（一例として１０〜１２年間）使用することができる。
【００３９】
メッシュシート１１〜１２ｂおよびシート１３，１４は、防炎加工が施されたものを用いることが好ましい。特に、財団法人日本防炎協会などの認定機関によって認定された防炎認定品を用いることが防火の面から好ましい。
【００４０】
また、メッシュシート１１〜１２ｂおよびシート１３，１４として緑色のものを用いることで、視覚的に清潔感を感じさせるので、美観に優れたゴミ収集庫とすることができる。
【００４１】
底板１５は、一例として木製の板であって、箱フレーム２の底面側の横枠２ｂに螺子止め固定されている。
【００４２】
次に、このゴミ収集庫１の使用方法について説明する。
【００４３】
ゴミ収集庫１を設置する際には、高さ調整脚９を調整して底板１５が水平になるように設置する。このように高さ調整脚９を備えることで、傾斜した場所や、凸凹した場所であってもゴミ収集庫１を安定して水平に設置することができる。
【００４４】
ゴミ収集庫１にゴミを出す際に、扉フレーム３（以下単に扉３ともいう）が観音開きに開かれる。これにより、ゴミ収集庫１が大きく開口するため、ゴミ収容部６にゴミを簡便に搬入することができる。また、開かれた扉３は、枠体３ａ，３ｂで２つに折れ曲がるので、邪魔にならず、風圧の影響も受けにくい。なお、ゴミが小さい場合には、一方の扉３だけを開いてもよい。
【００４５】
ゴミ収容部６にゴミが搬入されてから、扉３が閉じられる。扉３は、磁石１９で箱フレーム２に固定されるので、その開閉はスムーズである。
【００４６】
扉３が閉じられた状態でも、メッシュシート１１〜１２ｂが良好な通気性を有するため、ゴミ収容部６に風が通って換気が良好に行われる。メッシュシート１１〜１２ｂはショウジョウバエも通れない目開きであるので、ゴミ収容部６にハエは侵入することができず、ゴミにハエが群がらない。また、メッシュシート１１〜１２ｂの目開きが小さいため、雨が降っていてもゴミ収容部６に吹き込まない。さらに、メッシュシート１１〜１２ｂの目開きが小さいため、ゴミ収集庫１の外部からは、ゴミはうっすらとしか見ることができない。
【００４７】
ゴミ収容部６には、中仕切り板７が設けられているが、通常は背面側に跳ね上げられている。収容されているゴミの量が多い場合には、取っ手１７を引いて、中仕切り板７を引き下ろす。中仕切り板７は、磁石１６で横枠２ｂに吸着固定されているだけなので、簡便に引き下ろすことができる。引き下ろした中仕切り板７の上にゴミを載置することで、すでにゴミ収容部６にゴミが多量に収容されていても無理なくゴミを搬入することができる。
【００４８】
ゴミ収集庫１の上面は傾斜しているので、雨は傾斜に沿って背面側に流れ落ちる。雪の場合には、ポリエステル帆布のシート１３で雪が滑って背面側にスムーズに滑り落ちる。
【００４９】
所定のゴミ収集時間が過ぎると、ゴミ回収者がゴミ収集場所を回ってゴミ収集庫１に収容されたゴミを回収する。この際に、扉３が観音開きに開くのでゴミの搬出の作業性がよい。また、中仕切り板７に積載されたゴミを搬出した後に、中仕切り板７を背面側に跳ね上げることで、底板１５に積載されたゴミを容易に搬出することができる。
【００５０】
このように使用されるゴミ収集庫１が、長年使用されたときや何らかの外的影響を受けたときにメッシュシート１１〜１２ａ、またはシート１３，１４が破損する場合がある。このような場合には、シート１１〜１４が箱フレーム２または扉フレーム３にビス２１で固定されているので、ビス２１を外すことでシート１１〜１４を容易に取り外せて、新しいものに簡便に張り替えることができる。
【００５１】
なお、上記で説明したゴミ収集庫１に、さらに金属網を追加して張設することもできる。具体的には、メッシュシート１１〜１２ｂのゴミ収容部６側の箱フレーム２および扉フレーム３に、金属網３１を張設する。
【００５２】
図３に、箱フレーム２の左側面にメッシュシート１１および金属網３１を重ねて張設する様子を図示する。これと同様にして、箱フレーム２の右側面、および扉フレーム３の枠体３ａ，３ｂにも金属網３１を張設する。
【００５３】
金属網３１は、メッシュシート１１とほぼ同じ大きさに形成する。金属網３１は、メッシュシート１１よりも目開きの大きいものでよいが、猿や猪、熊などが手足や口を差し込めない目開きであることが好ましい。
【００５４】
このように金属網３１を配置することで、猿などの力の強い動物がメッシュシート１１を破いたとしても金属網３１は破ることができないので、猿などからゴミを確実に隔離することができる。
【００５５】
上記で説明したゴミ収集庫１はこの構成に限られず、例えば、ゴミ収集庫１の背面に張設したシート１４をメッシュシート１１と同様のメッシュシートとすることもできる。また、屋内に設置されるゴミ収集庫１の場合には、傾斜を付けずに底板１５と平行に上面を形成してもよいし、上面に張設するシート１３をメッシュシート１１と同様のメッシュシートとすることもできる。
【００５６】
また、扉フレーム３を折れ戸フレームとせずに、単に四角枠状の扉フレームとしてもよい。
【００５７】
また、中仕切り板７は必要に応じて設けなくてもよいし、設けた場合でも跳ね上げ可能とせずに固定して設けてもよい。さらに、中仕切り版７を補助材２ｃ上に乗せて水平に支持させた例について説明したが、中仕切り板７の正面両端を、背面側上方の横枠２ｂなどから紐で吊り下げることで水平に支持させてもよい。
【符号の説明】
【００５８】
１はゴミ収集庫、２は箱フレーム、２ａは支柱、２ｂは横枠、２ｃ，２ｄは補強材、３は扉フレーム、３ａ，３ｂは枠体、４，５，８は蝶番、６はゴミ収容部、７は中仕切り板、９は高さ調整脚、１０，１７は取っ手、１１，１２ａ，１２ｂはメッシュシート、１３，１４はシート、１５は底板、１６，１９は磁石、２１はビス、３１は金属網である。
【図１】
0003154926.tif 000003
【図２】
0003154926.tif 000004
【図３】
0003154926.tif 000005